(57)【特許請求の範囲】
【請求項１】
透液性表面シートと裏面シートとの間に吸収体が介在されるとともに、前記透液性表面シートの両側部にそれぞれ長手方向に沿って配設されたギャザー形成用不織布によって肌側に起立する立体ギャザーが形成された吸収性物品において、
前記ギャザー形成用不織布は、幅方向中間部が前記透液性表面シートの側縁部に接合されるとともに、この接合部の内方側で側方側に折り返された折返し部が形成され、前記折返し部が、吸収性物品の長手方向両端の端部領域と、排尿口に対応する部位を含むとともに前記立体ギャザーを形成する排尿口対応領域と、前記端部領域と排尿口対応領域との間の中間領域とに画成され、
前記端部領域及び中間領域において、前記折返し部のうち幅方向内側に位置する部分であって平面視で前記吸収体と重なる領域が前記透液性表面シート側に接合されるとともに、この接合部より幅方向外側に位置する部分であって前記吸収体よりも外方に突出する部分によって先端が自由端部とされた突出代が形成され、
前記排尿口対応領域及び中間領域において、少なくとも前記突出代に相当する部位に連続して吸収性物品の長手方向に沿って弾性伸縮部材が配設されていることを特徴とする吸収性物品。
【請求項２】
相対的に前記立体ギャザーの外側に、前記裏面シート面より実質的に連続して設けられた不織布によって肌側に起立する第２立体ギャザーが形成されている請求項１記載の吸収性物品。
【請求項３】
前記立体ギャザーは、前記ギャザー形成用不織布を前記吸収体の内方側位置で側方側に折り返した１段ギャザーである請求項１、２いずれかに記載の吸収性物品。
【請求項４】
前記立体ギャザーは、前記ギャザー形成用不織布を前記吸収体の内方側位置で側方側に折り返すとともに、側方側位置で内方側に折り返した２段ギャザーである請求項１、２いずれかに記載の吸収性物品。
【発明の詳細な説明】
【技術分野】
【０００１】
本発明は、経血やおりもの、尿などを吸収するための生理用ナプキン、パンティライナー、失禁パッド等の吸収性物品に係り、詳しくは透液性表面シートの両側部にそれぞれ長手方向に沿って配設されたギャザー形成用不織布によって肌側に起立する左右一対の立体ギャザーを備えた吸収性物品に関する。
【背景技術】
【０００２】
従来より、生理用ナプキン、パンティライナー、おりものシート、失禁パッドなどの吸収性物品として、ポリエチレンシートまたはポリエチレンラミネート不織布などからなる不透液性裏面シートと、不織布または透孔性プラスチックシートなどからなる透液性表面シートとの間に綿状パルプなどからなる吸収体を介在させたものが知られている。
【０００３】
この種の吸収性物品にも幾多の改良が重ねられ、図１０〜図１２に示されるように、二重立体ギャザーを備えたものが提案されている。このような二重立体ギャザーを備えた吸収性物品５０は、下記特許文献１に開示されるように、透液性表面シート５１と不透液性裏面シート５２との間に吸収体５３が介在されてなる吸収性物品５０において、前記吸収性物品５０の両側部にそれぞれ、吸収体５３の略側縁近傍位置を起立基端として肌側に突出して形成された第１立体ギャザー５４と、相対的に前記第１立体ギャザー５４の外側位置に形成されるとともに、不透液性裏面シート５２面より実質的に連続して設けられた不織布によって肌側に突出して形成された第２立体ギャザー５５とから構成されている。
【０００４】
かかる二重立体ギャザーを備えた吸収性物品では、経血やおりもの等の体液の横漏れが完全に阻止され、ショーツの汚れが防止できるなどの効果が奏される。
【０００５】
更に、前記二重立体ギャザーを有する吸収性物品にも幾多の改良が重ねられ、例えば、下記特許文献２では、各サイドフラップ（前記第２立体ギャザー５５に相当）と各立体カフス（前記第１立体ギャザー５４に相当）を、吸収性物品の長手方向の両端部もしくは両端部近傍においてそれぞれ接合することにより、サイドフラップと立体カフスの起立性が確保され、使用時の横漏れ等を効果的に防ぐことができるようにしたものが提案されている。
【０００６】
また、下記特許文献３では、第２立体ギャザー部において、吸収性物品の略長手方向に沿って、起立基端近傍部位に糸状弾性部材を配設するとともに、起立先端部位に糸状弾性部材を夫々配設することによって、起立基端近傍部位に配設した糸状弾性部材が不透液性裏面シートの側部を効果的に立ち上げるように作用し、第２立体ギャザーの基端部を糸状弾性部材により上方に持上げ、そして先端側の糸状弾性部材によってギャザー先端部を脚周りに確実にかつ柔軟にフィットさせるようにしたものが提案されている。
【０００７】
さらに、下記特許文献４では、第１立体ギャザーが吸収体の側部上面位置を起立基点として内向き方向に突出するように形成され、第２立体ギャザーを実質的に不透液性裏面シートの上面位置を起立基点として外向き方向に突出するように形成することによって、装着時に前記第１立体ギャザーと第２立体ギャザーとで幅広の断面略Ｖ字状空間、すなわち経血等の滞留空間が確実に形成されるようになり、空間状態が定常的に維持されるようにしたものが提案されている。
【先行技術文献】
【特許文献】
【０００８】
【特許文献１】特開平１１−１９１２０号公報
【特許文献２】特開２００６−１７５０２２号公報
【特許文献３】特開平１１−１０４１７４号公報
【特許文献４】特開２００２−４５３９６号公報
【発明の概要】
【発明が解決しようとする課題】
【０００９】
しかしながら、近年の失禁パッドでは吸収体に大量の尿を吸収保持できるように吸収体に高吸収性ポリマーが含有されているため、この高吸収性ポリマーに大量の尿が吸収されると高吸収性ポリマーの体積が膨張し、吸収体の高さが増すことによって、特に吸収体の側縁部を起立基端とする前記第１立体ギャザー５４が起立しにくくなるという問題があった。
【００１０】
この点についてさらに詳しく説明すると、従来の吸収性物品５０では、使用前の状態で、前記第１立体ギャザー５４は、長手方向中央部においては、図１１に示されるように、吸収体５３の略側縁近傍位置を起立基端として肌側に起立する一方、長手方向端部においては、図１２に示されるように、起立片高さの約１／２の点を折り曲げ線として折り畳まれ、接合面がホットメルトなどによって吸収体５３側に接着されている。
【００１１】
かかる吸収性物品５０では、大量の尿を吸収することによって吸収体５３の高さが増した場合、第１立体ギャザー５４は、図１３に示されるように、長手方向両端部において高さ方向に膨張した吸収体５３の側縁に沿って立体ギャザー起立先端部が非起立方向に傾斜するように変形するため、長手方向中央部においても図１４に示されるようにこの両端部の変形に引っ張られて立体ギャザーの起立先端部が非起立方向に傾斜するように変形する。その結果、第１立体ギャザー５４が吸収体５３側に寝た状態となってしまい、第１立体ギャザー５４の障壁としての機能が失われ、続けて尿が排出されたときなどには横漏れが生じやすかった。
【００１２】
そこで本発明の主たる課題は、吸収体の略側縁近傍位置を起立基端として肌側に起立する立体ギャザーを有する吸収性物品において、吸収体に大量の体液が吸収されたときでも肌側への起立状態を維持し、体液の横漏れを防止した吸収性物品を提供することにある。
【課題を解決するための手段】
【００１３】
上記課題を解決するために請求項１に係る本発明として、透液性表面シートと裏面シートとの間に吸収体が介在されるとともに、前記透液性表面シートの両側部にそれぞれ長手方向に沿って配設されたギャザー形成用不織布によって肌側に起立する立体ギャザーが形成された吸収性物品において、
前記ギャザー形成用不織布は、幅方向中間部が前記透液性表面シートの側縁部に接合されるとともに、この接合部の内方側で側方側に折り返された折返し部が形成され、前記折返し部が、吸収性物品の長手方向両端の端部領域と、排尿口に対応する部位を含むとともに前記立体ギャザーを形成する排尿口対応領域と、前記端部領域と排尿口対応領域との間の中間領域とに画成され、
前記端部領域及び中間領域において、前記折返し部のうち幅方向内側に位置する部分であって平面視で前記吸収体と重なる領域が前記透液性表面シート側に接合されるとともに、この接合部より幅方向外側に位置する部分であって前記吸収体よりも外方に突出する部分によって先端が自由端部とされた突出代が形成され、
前記排尿口対応領域及び中間領域において、少なくとも前記突出代に相当する部位に連続して吸収性物品の長手方向に沿って弾性伸縮部材が配設されていることを特徴とする吸収性物品が提供される。
【００１４】
上記請求項１記載の発明では、ギャザー形成用不織布の端部領域及び中間領域に、前記折返し部のうち幅方向内側に位置する部分であって平面視で前記吸収体と重なる領域を前記透液性表面シート側に接合するとともに、この接合部より幅方向外側に位置する部分であって前記吸収体よりも外方に突出する部分によって先端が自由端部とされた突出代を形成し、ギャザー形成用不織布の排尿口対応領域及び中間領域に、少なくとも前記突出代に相当する部位に連続して吸収性物品の長手方向に沿って弾性伸縮部材を配設しているため、吸収体に大量の尿が吸収されて高さが増加した場合でも前記中間領域において透液性表面シート側への接合部の変形状態に影響されることなく、突出代が常に肌側に起立するようになり、排尿口対応領域の立体ギャザーの先端部を非起立方向に引っ張るような力が大幅軽減される結果、排尿口対応領域の立体ギャザーの起立が維持できるようになる。したがって、続けて尿が排出されたときでも立体ギャザーの障壁としての機能が失われることがなく、横漏れを確実に防止できる。
【００１５】
請求項２に係る本発明として、相対的に前記立体ギャザーの外側に、前記裏面シート面より実質的に連続して設けられた不織布によって肌側に起立する第２立体ギャザーが形成されている請求項１記載の吸収性物品が提供される。
【００１６】
上記請求項２記載の発明では、二重立体ギャザーとすることによって、より確実に肌側への起立状態を維持し、体液の横漏れが防止できるようになる。
【００１７】
請求項３に係る本発明として、前記立体ギャザーは、前記ギャザー形成用不織布を前記吸収体の内方側位置で側方側に折り返した１段ギャザーである請求項１、２いずれかに記載の吸収性物品が提供される。
【００１８】
請求項４に係る本発明として、前記立体ギャザーは、前記ギャザー形成用不織布を前記吸収体の内方側位置で側方側に折り返すとともに、側方側位置で内方側に折り返した２段ギャザーである請求項１、２いずれかに記載の吸収性物品が提供される。
【００１９】
上記請求項３、４記載の発明では、立体ギャザーとして、１段ギャザーでもよいし２段又はそれ以上の複数段のギャザーとしてもよいことを規定している。
【発明の効果】
【００２０】
以上詳説のとおり本発明によれば、吸収体の略側縁近傍位置を起立基端として肌側に起立する立体ギャザーを有する吸収性物品において、吸収体に大量の体液が吸収されたときでも肌側への起立状態が維持でき、体液の横漏れが防止できるようになる。
【図面の簡単な説明】
【００２１】
【図１】本発明に係る失禁パッド１の一部破断展開図である。
【図２】そのII−II線矢視図（端部領域Ｚ１の断面図）である。
【図３】図１のIII−III線矢視図（排尿口対応領域Ｚ２の断面図）である。
【図４】図１のIV−IV線矢視図（中間領域Ｚ３の断面図）である。
【図５】吸収体４に尿が吸収された場合の中間領域Ｚ３の断面図である。
【図６】吸収体４に尿が吸収された場合の排尿口対応領域Ｚ２の断面図である。
【図７】第１立体ギャザー８の他の形態例を示す図１のII−II線矢視図である。
【図８】第１立体ギャザー８の他の形態例を示す図１のIII−III線矢視図である。
【図９】第１立体ギャザー８の他の形態例を示す図１のIV−IV線矢視図である。
【図１０】従来の吸収性物品５０を示す斜視図である。
【図１１】図１０のXI−XI線矢視図である。
【図１２】図１０のXII−XII線矢視図である。
【図１３】従来の吸収性物品５０の吸収体５３に尿が吸収された場合の端部領域の断面図である。
【図１４】従来の吸収性物品５０の吸収体５３に尿が吸収された場合の中央部領域の断面図である。
【発明を実施するための形態】
【００２２】
以下、本発明の実施の形態について図面を参照しながら詳述する。
【００２３】
〔第１形態例〕
本発明に係る失禁パッド１は、図１〜図４に示されるように、ポリエチレンシート、ポリプロピレンシートなどからなる不透液性裏面シート２と、尿、経血、おりものなど（以下まとめて体液という。）を速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、表面両側部にそれぞれ長手方向に沿って配設されたギャザー形成用不織布７，７とから構成されている。前記ギャザー形成用不織布７、７は、前記吸収体４の略側縁近傍位置を起立基端として肌側に起立して設けられた左右一対の第１立体ギャザー８、８と、相対的に前記第１立体ギャザー８の外側に配置されるとともに、前記不透液性裏面シート２面から実質的に延長された不織布によって肌側に起立して形成された左右一対の第２立体ギャザー９、９とを構成している。
【００２４】
以下、さらに前記失禁パッド１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２５】
次いで、前記透液性表面シート３は、有孔または無孔の不織布が好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。
【００２６】
前記不透液性裏面シート２と透液性表面シート３との間に介在される吸収体４は、たとえばフラッフ状パルプと高吸収性ポリマーとにより構成されている。前記高吸収性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４の目付は、パルプについては２００〜１０００g／m2、好ましくは２９０〜９００g／m2とし、高吸収性ポリマーについては１０〜５００g／m2、好ましくは１５〜４００g／m2とするのが望ましい。
【００２７】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００２８】
本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら体液の逆戻りを防止するようになる。
【００２９】
前記透液性表面シート３及び吸収体４の積層部分には、少なくとも排尿口部Ｈを含む領域に、透液性表面シート３の表面側から適宜のパターンでフィットエンボス１０を施すことができる。
【００３０】
前記透液性表面シート３の幅寸法は、図示の例では、図３の中央断面図に示されるように、吸収体４の幅より若干長めとされ吸収体４を覆うだけに止まり、前記第１立体ギャザー８およびこれの外側に形成される第２立体ギャザー９は、前記透液性表面シート３とは別の前記ギャザー形成用不織布７によって構成されている。かかるギャザー形成用不織布７としては、天然繊維、合成繊維または再生繊維などを材料として、ＳＳＭＳ、ＳＭＳ、ＳＭＭＳなどの構造からなるものを使用できるが、好ましくはゴワ付きを無くすとともに、ムレを防止するために、坪量を抑えて通気性を持たせた不織布を用いるのがよい。具体的には、坪量を５〜２５g／m2、好ましくは１０〜２０g／m2として作製された不織布を用いるのが望ましく、かつ体液が浸透するのを防止する、あるいは肌触り感を高めるなどの機能を重視する点から、シリコン系、パラフィン金属系、アルキルクロミッククロリド系撥水剤などをコーティングした撥水処理不織布が好適に使用される。
【００３１】
前記第１および第２立体ギャザー８、９の構造についてさらに詳しく説明すると、前記ギャザー形成用不織布７は、幅方向両側部をそれぞれパッド裏面側に折り返すことによって幅方向内側及び幅方向外側にそれぞれ二重シート部分７ａ、７ｂが形成され、幅方向内側の二重シート部分７ａが吸収体４上の側部位置に対応する透液性表面シート３上の端縁部Ａとホットメルト接着剤等の接着剤によりパッド本体に接着されているとともに、幅方向外側の二重シート部分７ｂが不透液性裏面シート２の端縁部Ｂとホットメルト接着剤等の接着剤によりパッド本体に接着されている。そして、幅方向内側の二重シート部分７ａとパッド本体との接着部Ｃより内方に延在する部分が幅方向外側に折り返された折返し部７ｃとされ、この折返し部７ｃによって前記第１立体ギャザー８が形成されるとともに、前記不透液性裏面シート２の端縁部Ｂより外方に延在する外側延在部７ｄによって前記第２立体ギャザー９が形成されている。前記折返し部７ｃ及び外側延在部７ｄの二重シート内部にはそれぞれ、適宜の位置に、両端または長手方向の適宜の位置が固定された弾性伸縮部材１５、１６が配置され、この弾性伸縮部材１５、１６の収縮作用により、折返し部７ｃ及び外側延在部７ｄを肌側に起立させ、それぞれ前記第１立体ギャザー８及び第２立体ギャザー９が形成されている。前記弾性伸縮部材１５、１６としては、糸状のものを用いるのが好ましく、太さは３００〜１００dtex、好ましくは４００〜５５０dtexのものが望ましい。
【００３２】
前記接着部Ｃより内方に延在する折返し部７ｃについて更に詳しく説明すると、前記折返し部７ｃは、図１に示されるように、パッド長手方向に対し、パッド長手方向両端の端部領域Ｚ１と、排尿口部Ｈに対応する部位を含むとともに前記第１立体ギャザー８を形成する排尿口対応領域Ｚ２と、前記端部領域Ｚ１と排尿口対応領域Ｚ２との間の中間領域Ｚ３とに画成されている。
【００３３】
前記端部領域Ｚ１及び中間部領域Ｚ３においては、図２及び図４に示されるように、前記折返し部７ｃの基端側が透液性表面シート３側、すなわち接着部Ｃによって接着されたギャザー形成用不織布７の表面側に接着部Ｄにてホットメルト接着剤等の接着剤により接着され、この接着部Ｄより幅方向外側が自由端部とされた突出代１７が形成されている。
【００３４】
本第１形態例に係る失禁パッド１では、前記第１立体ギャザー８は、図３に示されるように、ギャザー形成用不織布７を吸収体４の内方側位置で側方側に折り返した１段ギャザーとしている。具体的には、端部領域Ｚ１及び中間領域Ｚ３において、前記接着部Ｃにて前記透液性表面シート３側に接着されたギャザー形成用不織布７が内方側位置で側方側に折り返される第１折返し部２０が形成されることによって二つ折りとされ、下層側から順に第１折返し面２２及び第２折返し面２３を有し、前記第２折返し面２３が第１折返し部２０寄り位置に形成される接着部Ｄにて第１折返し面２２に接着されている。そして、前記第２折返し面２３のうち前記接着部Ｄより幅方向外側に位置する部分によって前記突出代１７が形成されている。
【００３５】
前記接着部Ｄは、平面視で吸収体と重なる領域のみに形成することが好ましい。これによって、後段で詳述するように、大量の体液が吸収されて吸収体４の高さが増加した場合に、前記突出代１７が第１立体ギャザー８の非起立方向に引っ張られることが抑えられ、第１立体ギャザー８の起立が維持できるようになる。
【００３６】
また、排尿口対応領域Ｚ２及び中間領域Ｚ３においては、図３及び図４に示されるように、少なくとも前記突出代１７に相当する部位に連続してパッド長手方向に沿って弾性伸縮部材１５が配設されている。前記弾性伸縮部材１５は、肌への当たりが硬くなるのを防止するため突出代１７の先端から１mm以上内側に配置することが望ましく、突出代１７の範囲（接着部Ｄより外側の範囲）に配置されている。これによって、前記排尿口対応領域Ｚ２では、折返し部７ｃ全体が肌側に起立する第１立体ギャザー８が形成され、中間領域Ｚ３では、前記突出代１７が肌側に起立するようになる。なお、前記弾性伸縮部材１５は、排尿口対応領域Ｚ２及び中間領域Ｚ３に連続して配設され、これより長手方向両端の端部領域Ｚ１、Ｚ１には配設しないか、細かく切断した不連続化処理が施されている。
【００３７】
このように、本失禁パッド１では、図５に示されるように、前記中間領域Ｚ３において、吸収体４に大量の尿が吸収され吸収体４の高さが増加したとき、ギャザー形成用不織布７のうち、接合部Ｂによって透液性表面シート３側に接合された部分及び接合部Ｃによってギャザー形成用不織布７同士が接合された部分が吸収体４の側縁に沿って内方側が肌側に突出するように変形するが、前記突出代１７はこれらの変形状態に影響されることなく、体液を吸収する前の状態（図４参照）と同様に自由端部が立体ギャザーの起立方向に起立する。したがって、排尿口対応領域Ｚ２においては、図６に示されるように、吸収体４に大量の尿が吸収され吸収体４の高さが増加したときでも、肌側に起立する状態が維持でき、体液の横漏れが防止できるようになる。
【００３８】
また、第１立体ギャザー８が形成される排尿口対応領域Ｚ２と、透液性表面シート３側に接着される端部領域Ｚ１との間に、突出代１７が肌側に起立する中間領域Ｚ３が設けられているため、パッド長手方向の中央部から両端部に向けて立体ギャザーの肌側への起立高さが段階的に減少するようになり、肌へのフィット感が向上できるとともに、体液の横漏れが確実に防止できるようになる。
【００３９】
一方、前記外側延在部７ｄには、前記折返し部７ｃに配設される弾性伸縮部材１５の長手方向範囲とほぼ同等の範囲に前記弾性伸縮部材１６が配設され、この弾性伸縮部材１６が配設された範囲が肌側に起立する第２立体ギャザーとされている。なお、これより長手方向両端部においては、弾性伸縮部材が配設されないか、細かく切断した不連続化処理が施されている。
【００４０】
前記第２立体ギャザー９に配設される弾性伸縮部材１６は、不透液性裏面シート２の端縁部Ｂより外方に延在する部分に少なくとも１本配置し、図示例のようにパッド幅方向に離間して２本以上配置するようにしてもよい。２本以上配置する場合は、障壁としての機能が低下しないように、パッド幅方向の間隔は５mm以下とすることが好ましい。
【００４１】
ところで、図１に示されるように、前記第１立体ギャザー８（ギャザー形成用不織布７の折返し部７ｃ）の部材幅方向に沿う長さＷ１は、失禁パッド１の平面視でギャザー形成用不織布７が配設される部材幅方向に沿う長さＷに対して、８０〜３０％、好ましくは６５〜４５％の範囲で形成することが望ましい。
【００４２】
また、ギャザー形成用不織布７の折返し部７ｂの部材幅方向に沿う長さＷ１のうち、前記接着部Ｃのパッド幅方向の幅（接着部Ｃの幅）Ｗ２は、Ｗ１の４０〜８０％とすることが好ましく、これとは逆に突出代１７の部材幅方向に沿う長さＷ３は６０〜２０％とすることが好ましい。前記接着部Ｃの幅Ｗ２は、端部領域Ｚ１から中間領域Ｚ３にかけて連続してほぼ同幅に形成することが好ましい。
【００４３】
前記中間領域Ｚ３のパッド長手方向長さＬ１、Ｌ２は、１０〜５０mmとすることが好ましく、図示例のように前側と後側とで異なる長さで形成してもよいし、同等の長さとしてもよい。この中間領域Ｚ３の長さＬ１、Ｌ２は、装着者の腹部や臀部に対応する位置で突出代１７の起立が生じないように、端部領域Ｚ１のパッド長手方向長さＬ３、Ｌ４より短い範囲で形成することが好ましいが、排尿口対応領域Ｚ２における第１立体ギャザー８の起立をより確実に維持するため、失禁パッド１の長さが短い場合など失禁パッド１の全長によっては端部領域Ｚ１の長さＬ３、Ｌ４より長い範囲で形成することもできる。
【００４４】
〔第２形態例〕
本第２形態例に係る失禁パッド１では、図８に示されるように、第１立体ギャザー８は、ギャザー形成用不織布７を吸収体４の内方側位置で側方側に折り返すとともに、側方側位置で内方側に折り返した２段ギャザーとしている。
【００４５】
具体的には、端部領域Ｚ１及び中間領域Ｚ３において、前記接着部Ｃにて前記透液性表面シート３側に接着されたギャザー形成用不織布７が内方側位置で側方側に折り返される第１折返し部２０と、この第１折返し部２０に連続して側方側位置で内方側に折り返される第２折返し部２１とによって三つ折りとされ、下層側から順に第１折返し面２２、第２折返し面２３及び第３折返し面２４を有し、前記第２折返し面２３が第１折返し部２０寄り位置に形成される接着部Ｄにて第１折返し面２２に接着されるとともに、前記第３折返し面２４が先端側寄り位置に形成される接着部Ｅにて前記第２折返し面２３に接着されている。そして、前記第２折返し面２３の前記接着部Ｄより側方側に延在する部分から前記第２折返し部２１を経て前記第３折返し面２４の前記接着部Ｅに至るまでの間が、これら接合部より幅方向外側に位置する部分の先端が自由端部とされた突出代１７’を形成している。
【００４６】
前記接着部Ｄ及び接着部Ｅは、平面視で吸収体４と重なる領域のみに形成することが好ましい。
【００４７】
前記排尿口対応領域Ｚ２及び中間領域Ｚ３において、少なくとも前記突出代１７’の先端部に相当する部位、すなわち第２折返し部２１に、連続してパッド長手方向に沿って弾性伸縮部材１５が配設されるとともに、前記第３折返し面２４の先端部に弾性伸縮部材１５が配設されている。これによって、排尿口対応領域Ｚ２では、断面略Ｚ形に肌側に起立する第１立体ギャザー８が形成され、中間領域Ｚ３では、前記突出代１７’が肌側に起立するようになる。
【００４８】
〔他の形態例〕
(1)上記形態例では、第１立体ギャザー８及び第２立体ギャザー９が連続する１枚のギャザー形成用不織布７によって構成されていたが、それぞれ別々の不織布によって構成してもよい。
(2)上記形態例では、相対的に第１立体ギャザー８の外側に、不透液性裏面シート２面より実質的に連続して設けられた不織布によって肌側に起立する第２立体ギャザー９が形成されていたが、前記第２立体ギャザー９が形成されず第１立体ギャザー８のみからなる失禁パッドとしてもよい。
【符号の説明】
【００４９】
１…失禁パッド、２…不透液性裏面シート、３…透液性表面シート、４…吸収体、５…クレープ紙、７…ギャザー形成用不織布、７ｃ…折返し部、８…第１立体ギャザー、９…第２立体ギャザー、１０…フィットエンボス、１５・１６…弾性伸縮部材、１７・１７’…突出代、Ｃ・Ｄ・Ｅ…接着部、Ｚ１…端部領域、Ｚ２…排尿口対応領域、Ｚ３…中間領域
【図１】
0006037660.tif 000002
【図２】
0006037660.tif 000003
【図３】
0006037660.tif 000004
【図４】
0006037660.tif 000005
【図５】
0006037660.tif 000006
【図６】
0006037660.tif 000007
【図７】
0006037660.tif 000008
【図８】
0006037660.tif 000009
【図９】
0006037660.tif 000010
【図１０】
0006037660.tif 000011
【図１１】
0006037660.tif 000012
【図１２】
0006037660.tif 000013
【図１３】
0006037660.tif 000014
【図１４】
0006037660.tif 000015